(57)【特許請求の範囲】
【請求項１】
アゾジカルボンアミドを有効成分とすることを特徴とする脱酸素剤。
【発明の詳細な説明】
【０００１】
【発明の属する技術分野】
本発明は脱酸素剤に関し、更に詳しくは、水中の溶存酸素を効率よく除去することができ、とくにボイラ給水の溶存酸素を除去することによりボイラシステムの腐食防止にとって有効な脱酸素剤に関する。
【０００２】
【従来の技術】
ボイラ給水に含まれている溶存酸素は、ボイラ本体、当該ボイラ本体の前段に配置される熱交換器やエコノマイザ，蒸気復水系配管などの腐食を引き起こす原因を構成する。したがって、これらボイラシステムの腐食を防止するためには、使用するボイラ給水に対し脱酸素処理を行ってボイラ給水中の溶存酸素を除去することが必要である。
【０００３】
そのため従来から、脱酸素処理として化学的処理と物理的処理が実施されている。
例えば、化学的処理としては、ヒドラジン（Ｎ２Ｈ４）および亜硫酸ナトリウム（Ｎａ２ＳＯ３）を脱酸素剤としてボイラ給水に添加する方法が広く採用されている。
【０００４】
【発明が解決しようとする課題】
ところで、上記した化学的処理において、ヒドラジンや亜硫酸ナトリウムを脱酸素剤として使用する方法には次のような問題がある。
まず、ヒドラジンは人体に対する安全性の面で問題視されている。また、亜硫酸ナトリウムの場合は、酸素との反応速度が大きすぎるので、次のような問題が起こる。
【０００５】
すなわち、ボイラ給水への添加に先立ち、亜硫酸ナトリウムを溶解タンクで水に溶解するときに、当該亜硫酸ナトリウムは溶存酸素と反応してその濃度低下を引き起こすので注入量不足になり、結局、ボイラシステムの腐食を助長することになってしまう。
更に、亜硫酸ナトリウムで処理したボイラ給水には、新たに硫酸イオンが生成するので、ボイラシステムでは腐食やスケール付着が起こりやすくなる。
【０００６】
したがって、脱酸素剤としてヒドラジンや亜硫酸ナトリウムを使用する方法は、必ずしも工業的に有利な方法であるとはいいがたい。
本発明は、例えばボイラ給水の脱酸素を化学的処理で行うときに使用する従来の脱酸素剤における上記した問題を解決し、ボイラ給水の溶存酸素を効率よく除去することができ、また高い安全性を備えた新規な脱酸素剤の提供を目的とする。
【０００７】
【課題を解決するための手段】
上記した目的を達成するために、本発明においては、アゾジカルボンアミドを有効成分とすることを特徴とする脱酸素剤が提供される。
【０００８】
【発明の実施の形態】
本発明の脱酸素剤は、アゾジカルボンアミド（ＮＨ２ＣＯＮ＝ＮＣＯＮＨ２）を有効成分とする。
なお、脱酸素剤としてアゾ化合物を用いることは既に提案されている。具体的には、２，２−アゾビス（Ｎ，Ｎ’−ジメチレンイソブチルアミジン）２，２−アゾビス（イソブチルアミド）・２水和物，４，４−アゾビス（４−シアノカプロン酸），２，２−アゾビス（２−アミジノプロパン）・ＨＣｌなどが提案されている。
【０００９】
これらのアゾ化合物はいずれも高い溶存酸素除去率を示す。しかしながら、他方では、ボイラの缶内および蒸気の中に、ギ酸や酢酸などの各種有機物を副生して、蒸気水質や蒸気純度に悪影響を与えるという問題がある。
これに対し、本発明のアゾジカルボンアミドは、上記のような有機物を副生しないため、ボイラ内の水質を変化させず、発生蒸気の純度も維持できるという特徴を有している。
【００１０】
また、本発明の脱酸素剤は、環内にＮ−Ｎ結合を有する複素環式化合物（以下、複素環式化合物Ａという），Ｎ−置換アミノ基を有する複素環式化合物（以下、複素環式化合物Ｂという），次式：
【００１１】
【化１】
0003624945.tif 000002
【００１２】
（式中、ａ，ｂは、いずれも０〜５の整数であり、かつ、２≦ａ＋ｂ≦５の関係を満足する整数である）
で示される複素環式化合物（以下、複素環式化合物Ｃという），ならびに次式：
【００１３】
【化２】
0003624945.tif 000003
【００１４】
（式中、Ｒ１，Ｒ２，Ｒ３，Ｒ４は同じであっても異なっていてもよく、水素、または炭素数１〜８の低級アルキル基もしくはアリール基のいずれかを表し、Ｘは、水素，アミノ基，炭素数１〜８のアルキルアミノ基もしくはジアルキルアミノ基、または炭素数１〜８の低級アルキル基もしくはアリール基のいずれかを表す）
で示される複素環式化合物（以下、複素環式化合物Ｄという）からなる群より選ばれる１種または２種以上の化合物を有効成分とする脱酸素剤と組み合わせて用いても良い。
【００１５】
この場合、複素環式化合物Ａは、以下の複素環式化合物を好適とする。すなわち、
【００１６】
【化３】
0003624945.tif 000004
【００１７】
そして、複素環式化合物Ｂとしては、次のようなものを好適例とすることができる。
【００１８】
【化４】
0003624945.tif 000005
【００１９】
また、複素環式化合物Ｃとしては、次のようなものを好適例とすることができる。
【００２０】
【化５】
0003624945.tif 000006
【００２１】
そして、複素環式化合物Ｄは、以下の複素環式化合物を好適とする。すなわち、
【００２２】
【化６】
0003624945.tif 000007
【００２３】
以上、列記した各有効成分の使用量は、対象とする水の溶存酸素の量に応じて適宜に決められるので格別限定されるわけではないが、通常、水１リットルに対し、０．００１〜１０００ｍｇ、好ましくは１から３００ｍｇであることが望ましい。
【００２４】
【実施例】
実施例１
本発明の脱酸素剤の効果を次のようにして確認した。
室温下において空気中の酸素で飽和させた軟化水を、容量５リットルの蒸気発生試験オートクレーブに給水し、下記の条件で運転して蒸気を発生させた。
【００２５】
温度：１８５℃，圧力：１ＭＰａ，蒸発量：１２リットル／ｈｒ，ブロー率：１０％
発生した蒸気を完全に凝縮し、得られた凝縮水中の溶存酸素濃度を溶存酸素計を用いて測定した。この値を比較例１のデータとする。
ついで、給水に脱酸素剤を添加して同様の条件で蒸気を発生させ、その蒸気の凝縮水中の溶存酸素濃度を測定した。そして、前記比較例１のデータとの差を除去量として算出し、その除去量の比較例１のデータに対する割合を除去率（％）として算出した。
【００２６】
なお、給水への脱酸素剤の添加に関しては、表１に示したアゾ化合物を前記軟化水に溶解して所定濃度の水溶液を調製し、その水溶液を定量ポンプで前記給水に供給し、給水中のアゾ化合物の濃度が１５０ｍｇ／Ｌとなるように調整した。
以上の結果を表１に示した。
【００２７】
【表１】
0003624945.tif 000008
【００２８】
また、発生させた蒸気中の主生成物およびオートクレーブ内の主生成物をそれぞれ分析した。その結果も表１に示した。
表１から明らかなように、アゾ化合物はいずれも溶存酸素の除去率が高い値を示している。とくに、アゾジカルボンアミドは、ボイラ缶に相当するオートクレーブ内に、ボイラ給水の水質を変えてしまう有機酸を生成することがなく、ボイラ給水の脱酸素剤としてとくに好適である。
【００２９】
【発明の効果】
以上の説明で明らかなように、本発明の脱酸素剤は、水中の溶存酸素を効率よく除去することができる。とくに、ボイラ給水の脱酸素剤として使用した場合、溶存酸素によるボイラ本体や蒸気復水系配管の腐食を防止することができ、その工業的価値は極めて大である。
【００３０】
更に、本発明によれば、ボイラ内において副生成物を生ずることがなく、蒸気純度に悪影響を与えない脱酸素剤が提供される。